(57)【要約】【課題】投入側および引外し側の電磁石や復帰ばね等の周辺部品の共用化が図れる遮断器の投入・引外し操作装置を提供する。【解決手段】引外しトリガ３９と投入トリガ３８は同一のトリガ軸３５に独立して回転可能に装着されているとともに、投入状態のとき、引外しトリガ３９には投入状態を保持するための引外しラッチレバー４７によって遮断ばね４４の付勢力が減衰された荷重がかかるように構成されている。さらに、投入トリガ３８および引外しトリガ３９は、投入ばね４２あるいは遮断ばね４４の付勢力により荷重を受ける係合板９７と該係合板９７を補強する支え板９８の張り合わせ構造となっている。【選択図】図１
2005228713.tif 000002
【特許請求の範囲】
【請求項１】
放勢により開路動作を行う遮断ばねと、上記遮断ばねの蓄勢エネルギを保持する引外しトリガと、上記引外しトリガによる上記遮断ばねの蓄勢エネルギの保持を解除させ、上記遮断ばねの蓄勢エネルギを放勢させて開路動作を行わせる引外し電磁石と、放勢により閉路動作を行う投入ばねと、上記投入ばねの蓄勢エネルギを保持する投入トリガと、上記投入しトリガによる上記投入ばねの蓄勢エネルギの保持を解除させ、上記投入ばねの蓄勢エネルギを放勢させて閉路動作を行わせる投入電磁石を備えた遮断器の投入・引外し操作装置において、
上記引外しトリガと上記投入トリガは同一のトリガ軸に独立して回転可能に装着されているとともに、投入状態のとき、上記引外しトリガには投入状態を保持するための引外しラッチレバーによって上記遮断ばねの付勢力が減衰された荷重がかかるように構成されていることを特徴とする遮断器の投入・引外し操作装置。
【請求項２】
上記投入トリガおよび引外しトリガは、上記投入ばねあるいは遮断ばねの付勢力により荷重を受ける係合部を有する係合板と該係合板を補強する支え板との貼り合わせ構造となっていることを特徴とする請求項１記載の遮断器の投入・引外し操作装置。
【請求項３】
上記投入トリガおよび引外しトリガは、上記支え板の枚数を調整することにより、板厚方向への寸法変化に対応することを特徴とする請求項２記載の遮断器の投入・引外し操作装置。
【請求項４】
上記投入トリガおよび引外しトリガは、上記投入ばねあるいは遮断ばねの付勢力により受ける荷重が同等レベルとされていることを特徴とする請求項１〜３のいずれか１項に記載の遮断器の投入・引外し操作装置。
【発明の詳細な説明】
【技術分野】
【０００１】
この発明は、遮断器の操作装置に係わり、さらに詳しくは、遮断器の投入・引外し操作装置の構成に関するものである。
【背景技術】
【０００２】
図１０は、例えば、特許文献１（特許第３２９０３４０号公報）に示された遮断器の投入・引外し操作装置の要部の構成を示す斜視図である。
図１０において、軸１４０、カム軸１４１およびトリガ軸１４２は、軸方向が水平となるようにフレーム（図示なし）に互いに平行に配設されている。
そして、軸１４０には、出力レバー１５０が回転自在に支持されている。また、カム軸１４１には、引外しラッチ１５１が回転自在に支持され、さらに大歯車１５２とカム１５３とが固着されている。
トリガ軸１４２には、引外しトリガ１５４と投入トリガ１５５とが回転自在に支持されている。
【０００３】
出力ピン１５６が出力レバー１５０の所定位置に植設され、図示していないリンク機構を介して遮断器の可動接触子に連結されている。また、クランクロッド１５８がその一端を出力レバー１５０に回転自在に取り付けられ、その他端を抜け止めブッシュ（図示なし）を介してばね受板１５９に揺動自在に取り付けられている。
そして、一端がフレームに固設され、他端がばね受板１５９に支持された遮断ばね１６０は、軸１４０を回転中心として出力レバー１５０を反時計方向に付勢するように配設されている。
引外しラッチ１５１には、出力レバー１５０の側面所定位置に植設されたピン１５７と係合する係合部１５１ａが設けられ、引外しトリガ１５４の一端部と係合する係合部１５１ｂが設けられている。
【０００４】
そして、トリガ軸１４２を回転中心として引外しトリガ１５４を時計方向に付勢するように、引外しトリガ１５４の他端側と引外しラッチ１５１との間に復帰ばね１６１が配設されている。また、クランクロッド１６３が大歯車１５２の側面所定位置に植設されたクランクピン１６４に一端を連結され、他端を抜け止めブッシュ（図示なし）を介してばね受板１６５に揺動自在に取り付けられている。
そして、投入ばね１６６が、一端をフレームに固設され、他端をばね受板１６５に支持されて、カム軸１４１を回転中心として大歯車１５２を反時計方向に付勢するように配設されている。
【０００５】
投入トリガ１５５の一端部には、大歯車１５２の側面所定位置に植設されたピ１６２と係合する係合部１５５ａが設けられ、投入トリガ１５５は、復帰ばね１６７によりトリガ軸１４２を回転中心として時計方向に付勢されている。
引外し電磁石１７０は、電源のオン／オフにより所定のストロークで伸縮するプランジャ１７１を備えている。
そして、この引外し電磁石１７０は、プランジャ１７１の伸長動作により引外しトリガ１５４をトリガ軸１４２を回転中心として反時計方向に回転させ、引外しトリガ１５４の一端部と引外しラッチ１５１の係合部１５１ｂとの係合を解除するようになっている。
【０００６】
また、投入電磁石１８２は、電源のオン／オフにより所定のストロークで伸縮するプランジャ１８１を備えている。
そして、この投入電磁石１８０は、プランジャ１８１の伸長動作により投入トリガ１５５をトリガ軸１４２を回転中心として反時計方向に回転させ、投入トリガ１５５の一端部に設けられた係合部１５５ａと大歯車１５２の側面所定位置に植設されたピ１６２との係合を解除するようになっている。
【０００７】
以上のように、特許文献１には、放勢により開路動作を行う遮断ばね１６０と、遮断ばね１６０の蓄勢エネルギを保持する引外しトリガ１５４と、コイルの励磁によりプランジャ１７１を伸長動作させて引外しトリガ１５４による遮断ばね１６０の蓄勢エネルギの保持を解除させ、遮断ばね１６０の蓄勢エネルギを放勢させて開路動作を行わせる引外し電磁石１７０と、放勢により閉路動作を行う投入ばね１６６と、投入ばね１６６の蓄勢エネルギを保持する投入トリガ１５５と、コイルの励磁によりプランジャ１８１を伸長動作させて投入トリガ１５５による投入ばね１６６の蓄勢エネルギの保持を解除させ、投入ばね１６６の蓄勢エネルギを放勢させて閉路動作を行わせる投入電磁石１８０とを備えた遮断器の投入・引外し操作装置において、引外しトリガ１５４と投入トリガ１５５とが同一のトリガ軸１４２に回転可能に装着されている構成の遮断器の投入・引外し装置が示されている。
【０００８】
図１０より明らかなように、特許文献１に示された遮断器の投入・引外し操作装置では、その引外しトリガ１５４と投入トリガ１５５は、互いに異なる形状をしている。
また、例えば、特許文献１（特開平１１−６７０２４号公報）に示されるように、投入トリガと引外しトリガとが同一形状である場合、投入トリガに係合する掛金（投入ラッチ）と引外しトリガに係合する掛金（引外しラッチ）を、それぞれ専用の異なる形状とし、投入トリガと引外しトリガにかかる荷重が同等となるようにしている。
【特許文献１】特許公報第３２９０３４０号公報（図１、段落００１０、段落００１５〜段落００１７）
【特許文献２】特開平１１−６７０２４号公報（図１）
【発明の開示】
【発明が解決しようとする課題】
【０００９】
従来の遮断器の投入・引外し操作装置では、引外しトリガは引外しラッチに形成された係合部に係合したり外れたりする。また、投入トリガも大歯車の側面に植設されたピンに
係合したり外れたりする。
そのため、引外しトリガや投入トリガが動作するためのスペースや、引外しラッチや出力レバーなどが動作した時の逃がし部分が必要である。
従って、遮断器の投入・引外し操作装置の小型化を図るために、投入トリガと引外しトリガはそれぞれ専用の異なった形状をしている場合がほとんどである。
また、遮断器の動作過程において、引外しトリガおよび投入トリガは、素早く復帰することが要求される。
そのため、各トリガ（即ち、引外しトリガおよび投入トリガ）に対して配設される２つの復帰ばねは、ある程度のばねエネルギが必要である。
また、引外しトリガと投入トリガが異なった形状をしている場合は、投入側の復帰ばねと遮断側の復帰ばねに要求されるばねエネルギが異なるため、投入側の復帰ばねと遮断側の復帰ばねの形状・寸法が異なる場合が多い。
【００１０】
また、投入トリガと引外しトリガを同形状にした場合、投入側の操作コイル（即ち、投入電磁石）や復帰ばねと、遮断側の操作コイル（即ち、引外し電磁石）や復帰ばねなども同一品とすることができるためには、投入トリガと引外しトリガにかかる荷重を同等とする必要がある。
そのため、トリガに係合する掛金（ラッチ）のレバー比によって、荷重をそれぞれ減衰しなくてはならない。
また、トリガは、自身が荷重を受け、且つ、軸受け部を有する部品であり、ある程度の剛性が必要である。
【００１１】
従って、トリガ部は、係合部・軸受け部・駆動部などが削り出しにより一体形成され、その大きさや配置等が限られてくる。
そのため、投入トリガに係合する掛金（投入ラッチ）と引外しトリガに係合する掛金（引外しラッチ）を、それぞれ異なる専用形状とすることにより、投入トリガと引外しトリガに掛かる荷重を同等とする。
投入トリガと引外しトリガに掛かる荷重を同等とせずに、投入側および引外し側の操作コイル（電磁石）や復帰ばねに同一部品を使用する場合は、一方は荷重の大きい方に合わせる必要があり、他方は過剰エネルギとなり、効率が悪い。
【００１２】
この発明は、上記のような問題点を解消するためになされたもので、投入側および引外し側の電磁石や復帰ばね等の周辺部品の共用化が図れる遮断器の投入・引外し操作装置を提供することを目的とする。
また、投入トリガおよび引外しトリガを構成する部材の共用化も図れる遮断器の投入・引外し操作装置を提供することを目的とする。
【課題を解決するための手段】
【００１３】
この発明に係る遮断器の投入・引外し操作装置は、放勢により開路動作を行う遮断ばねと、上記遮断ばねの蓄勢エネルギを保持する引外しトリガと、上記引外しトリガによる上記遮断ばねの蓄勢エネルギの保持を解除させ、上記遮断ばねの蓄勢エネルギを放勢させて開路動作を行わせる引外し電磁石と、放勢により閉路動作を行う投入ばねと、上記投入ばねの蓄勢エネルギを保持する投入トリガと、上記投入しトリガによる上記投入ばねの蓄勢エネルギの保持を解除させ、上記投入ばねの蓄勢エネルギを放勢させて閉路動作を行わせる投入電磁石を備えた遮断器の投入・引外し操作装置において、上記引外しトリガと上記投入トリガは同一のトリガ軸に独立して回転可能に装着されているとともに、投入状態のとき、上記引外しトリガには投入状態を保持するための引外しラッチレバーによって上記遮断ばねの付勢力が減衰された荷重がかかるように構成されているものである。
【００１４】
また、上記投入トリガおよび引外しトリガは、上記投入ばねあるいは遮断ばねの付勢力により荷重を受ける係合部を有する係合板と該係合部を補強する支え板との貼り合わせ構造となっているものである。
【発明の効果】
【００１５】
本発明によれば、引外しトリガにかかる荷重を投入トリガにかかる荷重と同等レベルに小さくすることが可能となり、投入側および引外し側の電磁石や復帰ばね等の周辺部品の共用化が図れる遮断器の投入・引外し操作装置を提供できる。
また、投入トリガおよび引外しトリガを構成する係合板や支え板は、それぞれ同一形状とすることが可能であり、投入トリガおよび引外しトリガを構成する部材の共用化も図れる。
【発明を実施するための最良の形態】
【００１６】
実施の形態１．
図１は、本発明の実施の形態１に係る遮断器の投入・引外し装置の要部の構成を示す斜視図である。
図１において、出力軸４６、カム軸３６およびトリガ軸３５は、軸方向が水平となるように、遮断器のフレーム（図示なし）に互いに平行に配設されている。
そして、出力軸４６には、出力レバー３０が回転自在に支持されている。また、カム軸３６には、引外しラッチレバー４７が回転自在に支持され、さらに大歯車３７とカム４９とが固着されている。
また、トリガ軸３５には、投入トリガ３８と引外しトリガ３９とが回転自在に支持されている。
なお、後述するように、投入トリガ３８と引外しトリガ３９は、ローラ４３あるいはローラ４８との係合部を有した係合板９７と、係合板９７の剛性をサポートする（即ち、係合板９７を補強する）ための同一形状をした複数の支え板９８との張り合わせ構造となっている。
【００１７】
引外しラッチ３３と係合するための出力ピン３２が出力レバー３０の所定位置に植設されており、この出力レバー３０は、軸６０ａを回転中心として回転自在に支持されているリンク機構６０を介して遮断器の可動接触子６１に連結されている。
可動接触子６１が固定接触子６２に接触したときは、遮断器は閉路状態となり、可動接触子６１が固定接触子６２と離反したときは、遮断器は開路状態になる。
また、クランクロッド４５は、その一端がリンク機構６０に回転自在に取り付けられ、他端が抜け止めブッシュ（図示なし）を介してばね受板７０に揺動自在に取り付けられている。
また、一端が遮断器のフレーム（図示なし）に固設され、他端の自由端がばね受板７０に支持された遮断ばね４４は、出力軸４６を回転中心として出力レバー３０を時計方向に付勢するように配設されている。
【００１８】
引外しラッチレバー４７には、出力レバー３０の側面所定位置に植設された出力ピン３２と係合する引外しラッチ３３が軸４７ａで軸着されており、さらに引外しトリガ３９の一端部と係合するローラ部４８が設けられている。
そして、復帰ばね８１が、トリガ軸３５を回転中心として引外しトリガ３９を図中反時計方向に付勢するように配設されている。
また、クランクロッド９１は、大歯車３７の側面所定位置に植設されたクランクピン９２に一端を連結され、他端を抜け止めブッシュ（図示なし）を介してばね受板７１に揺動自在に取り付けられている。
そして、投入ばね４２が、一端をフレームに固設され、他端をばね受板７１に支持されて、カム軸３６を回転中心として大歯車３７を時計方向に付勢するように配設されている。
【００１９】
投入トリガ３８の一端部（即ち、投入トリガ３８を構成する係合板９７の端部）には、大歯車３７の側面所定位置に植設されたローラ４３と係合する係合部３８ａが設けられ、投入トリガ３８は、復帰ばね８２によりトリガ軸３５を回転中心として図中反時計方向に回転するように付勢されている。
引外し電磁石４１は、電源のオン／オフにより所定のストロークで伸縮するプランジャ７２を備えている。
そして、この引外し電磁石４１は、プランジャ７２の伸長動作により引外しトリガ３９をトリガ軸３５を回転中心として図中時計方向に回転させ、引外しトリガ３９の一端部とローラ４８との係合を解除するようになっている。
【００２０】
また、投入電磁石４０は、電源のオン／オフにより所定のストロークで伸縮するプランジャ７３を備えている。
なお、この投入電磁石４０は、引外し電磁石４１と同一品（即ち、寸法、形状、機能、特性等が同一）である。
ここで、引外し電磁石４１および投入電磁石４０は、それぞれ引外しトリガ３９および投入トリガ３８の前方において、同一平面上でトリガ軸３５の軸方向に並設されている。
そして、引外し電磁石４１のプランジャ７２および投入電磁石４０のプランジャ７３が引外しトリガ３９および投入トリガ３８に作用する方向は、トリガ軸３５に対して同一方向となっている。
【００２１】
次ぎに、上述した構成を有した本実施の形態による遮断器の投入・引外し装置の動作について説明する。
まず、引外し動作から説明する。
引外し指令によって引外し電磁石４１が励磁されて、プンジャ７２が伸長すると、プランジャ７２の先端は、引外しトリガ３９の側面に植設されている操作棒２９を後方に押圧する。
引外しトリガ３９は、復帰ばね８１の付勢力に抗してトリガ軸３５を回転中心として、時計方向に回転する。
従って、引外しトリガ３９の一端部（即ち、係合部３９ａ）がローラ４８から離脱し、引外しラッチレバー４７はフリーの状態となる。
【００２２】
遮断ばね４４の付勢力は、ばね受板７０、クランクロッド４５およびリンク機構６０を介して出力レバー３０に伝達されるので、出力レバー３０は出力軸４６を回転中心として時計方向に付勢されている。
そのため、引外しラッチレバー４７がフリーの状態となると、出力レバー３０の側面に植設された出力ピン３２からの押圧力を受けた引外しラッチ３３は、引外しラッチレバー４７と一体となってカム軸３６を回転中心として時計方向に回転し、出力レバー３０が時計方向に回転する。
そして、連結されているリンク機構６０を介して遮断器の可動接触子６１が開路方向へ（即ち、固定接触子６２と離反する方向へ）駆動される。
【００２３】
次ぎに、投入動作について説明する。
電動機（図示せず）を用いて、大歯車３７に歯合する歯車（図示せず）を駆動し、カム軸３６を時計方向に回転させる。
そして、ローラ４３が投入トリガ３８の一端部（即ち、投入トリガ３８を構成する部材である係合板９７の一端部）の係合部３８ａと係合した時点で、電動機を停止する。
そこで、投入ばね４２は圧縮されエネルギが蓄勢される。そして、投入ばね４２の付勢力が大歯車３７を時計方向に回転するように作用するが、ローラ４３と係合部３８ａとが係合することによって時計方向の回転がロックされる。
投入トリガ３８は、この係合前までに復帰ばね８２によって復帰したローラ４３を待ち構えておればよい。
従って、復帰ばね８２は、投入トリガ３８を復帰させるだけの小さなエネルギを持っておればよい。
【００２４】
投入指令によって投入電磁石４０が励磁されてプランジャ７３が伸長すると、プランジャ７３の先端は投入トリガ３８の側面に植設されている操作棒２８を後方に押圧する。
すると、投入トリガ３８は、復帰ばね８２の付勢力に抗してトリガ軸３５を回転中心として時計方向に回転する。
従って、投入トリガ３８の一端部に形成された係合部３８ａがローラ４３から離脱し、係合部３８ａとローラ４３との係合が解除される。
大歯車３７は、投入ばね４２の付勢力がばね受板７１およびクランクロッド９１を介して伝達されて、カム軸３６を回転中心として時計方向に付勢されている。
係合部３８ａとローラが４３との係合が解除されると、大歯車３７はフリーの状態となり、投入ばね４２の付勢力により時計方向に回転する。
【００２５】
図２は、投入トリガ３８とローラ４３が係合しているときの投入トリガ３８の周辺部の構成を示す正面図である。
また、図３は、図２のIII−III線の位置において大歯車３７の方向（即ち、矢印Ａの方向）を見たときの矢視断面図である。
投入トリガ３８とローラ４３が係合しているとき、図３に示すように、投入ばね４２の付勢力ｆ１によって大歯車３７はカム軸３６を回転中心として時計方向にｆ１＊ｌ１の回転モーメントが与えられているので、投入トリガ３８にはｆ２＝ｆ１＊ｌ１／ｌ２の荷重がかかることになる。
【００２６】
なお、モーメントアームｌ１はカム軸３６の回転中心から投入ばね力ｆ１の力線までの垂直距離であり、モーメントアームｌ２はカム軸３６の回転中心とローラ４３の中心との間の距離である。
投入トリガ３８とローラ４３が係合するときに、モーメントアームｌ１が非常に小さくなるように設定されているので、投入トリガ３８にかかる荷重ｆ２も小さくなる。
従って、投入電磁石４０は、投入トリガ３８にかかる小さな荷重ｆ２による摩擦力と復帰ばね８２の小さな力にうち勝つだけの力を持っておればよい。
【００２７】
大歯車３７の回転モーメントは、カム軸３６を介してカム４９に伝達され、カム４９が時計方向に回転する。このカム４９は、回転しながら出力レバー３０と係合し、出力レバー３０を出力軸４６回転中心として反時計方向に回転させる。
そして、連結されているリンク機構６０を介して遮断器の可動接触子６１が閉路方向（固定接触子６２と接触する方向）に駆動される。同時に、遮断ばね４４が圧縮され、エネルギが蓄勢される。
出力レバー３０が反時計方向に回転すると、出力ピン３２の押圧力が引外しラッチ３３に作用しなくなる。そこで、引外しラッチ３３が、出力ピン３２との次ぎの係合動作に備えて、復帰ばね３４の強力な付勢力により軸４７ａを回転中心として反時計方向に素早く回転する。
【００２８】
そして、カム４９が出力レバー３０と係合しなくなったときには、遮断ばね４４の付勢力が出力レバー３０を時計方向に回転するように作用する。
このとき、出力ピン３２が引外しラッチ３３に係合し、引外しラッチ３３と一緒に引外しラッチレバー４７をカム軸３６を回転中心として時計方向に回転させようとする。
しかし、引外しラッチレバー４７に設けられたローラ４８が引外しトリガ３９と係合しているため、引外しラッチレバー４７の回転がロックされ、開閉装置（即ち、遮断器）の投入状態が維持される。
【００２９】
図４は、遮断器が開路状態のときの引外しトリガ３９の周辺の構成を示す正面図であり、図５は、図４のＶ−Ｖ線の位置において引外しトリガ３９の方向（即ち、矢印Ｂの方向）を見たときの矢視断面図である。
また、図６は、閉路状態のときの引外しトリガ３９の周辺構成を示す正面図であり、図７は、図６のVII−VII線の位置において引外しトリガ３９の方向（即ち、矢印Ｃの方向）を見たときの矢視断面図である。
遮断器が開路状態のときは、図５に示すように、引外しトリガ３９は、次ぎの投入動作までに復帰ばね８１によって復帰してローラ４８を待ち構えておればよく、引外しラッチ３３のように遮断器の動作過程で素早く復帰することを要求されない。
従って、復帰ばね８１は、引外しトリガ３９を復帰させるだけの小さなエネルギを持っておればよい。
【００３０】
遮断器が閉路状態（即ち、投入状態）のときは、図７に示すように、出力ピン３２からの負荷荷重Ｆ１によって、引外しラッチ３３は、軸４７ａを回転中心として反時計方向に回転しようとする。
しかし、ラッチレバー４７に設けられたストッパーピン４７ｂによって、引外しラッチ３３の回転は阻止される。
そして、結果的に、引外しラッチ３３と一緒に引外しラッチレバー４７がカム軸３６を回転中心として時計方向にＦ１＊Ｌ１の回転モーメントで回転しようとする。
ラッチレバー４７は、ローラ４８と引外しトリガ３９との係合によって保持されているので、引外しトリガ３９にはＦ２＝Ｆ１＊Ｌ１／Ｌ２の荷重が加わる。
モーメントアームＬ１は、回転しようとする引外しラッチレバー４７の回転中心から負荷荷重Ｆ１までの距離であり、Ｌ１とＬ２の比で引外しトリガ３９にかかる荷重Ｆ２を小さくすることができる。
【００３１】
つまり、Ｌ１とＬ２の比で引外しトリガ３９にかかる荷重Ｆ２を、投入トリガ３８にかかる荷重ｆ２と同等レベルにすることが可能である。
このように、トリガを遮断器の動作過程で素早く復帰しなくてよいようにしたり、荷重を減衰する機構を用いて、Ｌ１とＬ２の比で引外しトリガ３９にかかる荷重Ｆ２を投入トリガ３８にかかる荷重ｆ２と同等レベルの小さな荷重とすることで、引外し電磁石４１の操作力は非常に小さくて済む。
従って、引外し電磁石４１は、投入電磁石４０と同一品を使用することができる。即ち、引外し電磁石４１と投入電磁石４０の共用化が図れる。
さらに、引外し電磁石４１と投入電磁石４０の共用化が図れることにより、遮断器の組立時において、引外し電磁石４１と投入電磁石４０の組立て間違いを防止できる。
【００３２】
図８は、本実施の形態による遮断器の投入・遮断装置に用いられる投入トリガ３８および引外しトリガ３９の構成を示す図であり、図８（ａ）は正面図、図８（ｂ）は測面図である。
投入トリガ３８および引外しトリガ３９は、それ自身が荷重を受け、且つ軸受け部９５（即ち、トリガ軸３５が貫入される軸穴部）を有する部品である。
そのため、ある程度の剛性が必要であり、ローラとの係合部９６を有する係合板９７と、係合板９７の剛性をサポートする（即ち、係合板９７の強度を補強する）ための複数の同一形状をした支え板９８とを張り合わせた構成としている。
なお、係合部９６は、投入トリガ３８の端部に設けられた係合部３８ａあるいは引外しトリガ３９の端部に設けられた係合部３９ａに相当するものである。
図８に示した例では、係合板９７の両側側面に同一形状の支え板９８を板厚方向に張り合わせている。
【００３３】
また、図９は、投入トリガ３８および引外しトリガ３９の他の構成例をしめすものであり、図９（ａ）は係合板９７の一側面に３枚の同一形状の支え板９８を板厚方向に張り合わせた場合を、図９（ｂ）は係合板９７の一側面（左側側面）に２枚の同一形状の支え板９８を板厚方向に張り合わせた場合を、図９（ｃ）は係合板９７の反対側側面（右側側面）に２枚の同一形状の支え板９８を板厚方向に張り合わせた場合を示している。
本実施の形態では、図１からも明らかなように、投入トリガ３８は図９（ｃ）に示された構成をしており、引外しトリガ３９は図９（ｂ）に示された構成をしている。
【００３４】
投入トリガ３８および引外しトリガ３９は、ローラ４３あるいはローラ４８と係合したり、係合を解除したりする。
従って、トリガ軸３５を回転中心とした投入トリガ３８および引外しトリガ３９の回転動作スペースや、係合解除後のローラ４３、ローラ４８、引外しラッチレバー４７などの動作スペース（逃がし部分）や、投入電磁石４０および引外し電磁石４１を配置するためのスペースが必要である。
このため、従来では投入トリガ３８および引外しトリガ３９に必要とされる形状は異なり、さらに、投入トリガ３８および引外しトリガ３９の回転スペースや、係合解除後のローラ４３、ローラ４８、引外しラッチレバー４７などの動作スペースなどが必要であり、装置の小型化を図ることが困難であつた。
【００３５】
しかし、本実施の形態では、ローラ４３あるいはローラ４８との係合部９６を有する係合板９７と、剛性をサポートするための同一形状をした支え板９８を板厚方向（トリガ軸３５と平行な方向）へ張り合わせて、支え板９８の枚数を調整したり、支え板９８の係合板９７への張り付け面を適宜変えることにより、形状の異なる投入トリガ３８および引外しトリガ３９を構成している。
これにより、互いに形状の異なる投入トリガおよび引外しトリガを同一の部材（即ち、係合板９７および支え板９８）で構成でき、部品の共用化が図れる。
また、支え板９８は係合板９７よりも寸法・形状を小さくしているので、支え板９８の枚数を調整したり、支え板９８の係合板９７への張り付け面を適宜変えることによって、投入トリガ３８および引外しトリガ３９の回転動作スペースや、係合解除後のローラ４３、４８、引外しラッチレバー４７などの動作時の逃がしスペースなどを確保することが可能となり、装置の小型化も図ることができる。
さらに、投入トリガおよび引外しトリガの構成部材（即ち、係合板および支え板）の共用化が図れる他に、復帰ばねや操作コイル（即ち、投入電磁石および引外し電磁石）などの周辺部品も共用化が図れるので、コスト低減および品質の安定性も向上する。
【産業上の利用可能性】
【００３６】
本発明は、投入側および引外し側の電磁石や復帰ばね等の周辺部品の共用化、あるいは投入および引外しトリガを構成する部材の共用化が図れる遮断器の投入・引外し操作装置の実現に有用である。
【図面の簡単な説明】
【００３７】
【図１】実施の形態１に係る遮断器の投入・引外し装置の要部の構成を示す斜視図である。
【図２】投入トリガとローラが係合しているときの投入トリガの周辺構成を示す正面図である。
【図３】図２のIII−III線の位置において矢印Ａの方向を見たときの矢視断面図である。
【図４】実開路状態のときの引外しトリガの周辺構成を示す正面図である。
【図５】図４のＶ−Ｖ線の位置において矢印Ｂの方向を見たときの矢視断面図である。
【図６】閉路状態のときの引外しトリガの周辺構成を示す正面図である。
【図７】図６のVII−VII線の位置において矢印Ｃの方向を見たときの矢視断面図である。
【図８】投入トリガおよび引外しトリガの構成を示す図である。
【図９】投入トリガおよび引外しトリガの他の構成例を示す図である。
【図１０】従来の遮断器の投入・引外し操作装置の要部の構成を示す斜視図である。
【符号の説明】
【００３８】
２８  操作棒            ２９  操作棒            ３０  出力レバー
３２  出力ピン          ３３  引外しラッチ      ３４  復帰ばね
３５  トリガ軸          ３６  カム軸            ３７  大歯車
３８  投入トリガ      ３８ａ  係合部            ３９  引外しトリガ
３９ａ  係合部            ４０  投入電磁石        ４１  引外し電磁石
４２  投入ばね          ４３  ローラ            ４４  遮断ばね
４５  クランクロッド    ４６  出力軸            ４７  引外しラッチレバー
４７ａ  軸              ４７ｂ  ストッパーピン    ４８  ローラ
４９  カム              ６０  リンク機構      ６０ａ  軸
６１  可動接触子        ６２  固定接触子        ７０  ばね受板
７１  ばね受板          ７２  プランジャ        ７３  プランジャ
８１  復帰ばね          ８２  復帰ばね          ９１  クランクロッド
９２  クランクピン      ９７  係合板            ９８  支え板
【図１】
2005228713.tif 000003
【図２】
2005228713.tif 000004
【図３】
2005228713.tif 000005
【図４】
2005228713.tif 000006
【図５】
2005228713.tif 000007
【図６】
2005228713.tif 000008
【図７】
2005228713.tif 000009
【図８】
2005228713.tif 000010
【図９】
2005228713.tif 000011
【図１０】
2005228713.tif 000012